(57)【要約】  様々な情報を用いたサービスを提供するために、第三者が提供するサーバからの要求に応じて、柔軟にネットワーク情報を提供することができるサービス提供システムを提供することを目的とする。本発明にかかるサービス提供システムは、外部通信網内に配置されたサービス提供サーバ（５０）から、サービスを提供する際に必要となるサービス情報取得要求が送信されると、移動通信網内の各ノード装置が保有するノード保有情報の収集を行う情報収集部（１０）と、各ノード装置（４１）〜（４３）から収集したノード保有情報に基づいて移動通信網情報を生成する情報生成部（２０）と、移動通信網情報をサービス提供サーバ（５０）へ送信する通信部（３０）と、を備えるものである。
2013161278.tif 000002
【特許請求の範囲】
【請求項１】
外部通信網内に配置されたサービス提供サーバから、サービスを提供する際に必要となるサービス情報取得要求が送信されると、移動通信網内の各ノード装置が保有するノード保有情報の収集を行う情報収集手段と、
前記各ノード装置から収集した前記ノード保有情報に基づいて移動通信網情報を生成する情報生成手段と、
前記移動通信網情報を前記サービス提供サーバへ送信する通信手段と、を備えるサービス提供システム。
【請求項２】
前記サービス提供サーバから送信される前記サービス情報取得要求を受信し、前記サービス提供サーバに関する認証処理を行う認証手段をさらに備える、請求項１に記載のサービス提供システム。
【請求項３】
前記情報収集手段は、
移動局が在圏するエリアを管理する基地局情報を収集する、請求項１又は２に記載のサービス提供システム。
【請求項４】
前記情報収集手段は、
前記移動局の識別情報を用いて、前記移動局の加入者情報を管理する加入者情報管理装置から、前記移動局の移動制御を行う移動制御装置の識別情報を取得し、前記移動制御装置から、前記基地局情報を収集する、請求項３に記載のサービス提供システム。
【請求項５】
前記情報収集手段は、
前記移動制御装置を介して、基地局が保有するノード保有情報を収集する、請求項４に記載のサービス提供システム。
【請求項６】
前記情報収集手段は、
前記各ノード装置が保有するデータ通信量に関する情報を収集し、
前記情報生成手段は、前記各ノード装置のデータ通信量に基づいて、前記移動通信網内の混雑度に関する情報を生成する、請求項１乃至５のいずれか１項に記載のサービス提供システム。
【請求項７】
前記情報収集手段は、
前記サービス提供サーバにおいて指定されたエリアにおけるデータ通信を実行しているデータ中継装置における前記データ通信量に関する情報を収集する、請求項６に記載のサービス提供システム。
【請求項８】
前記通信手段は、
前記混雑度に関する情報を前記サービス提供サーバへ送信するとともに、前記混雑度に関する情報に基づいて決定される前記サービス提供サーバが前記移動通信網を介して移動局へ提供するサービスの実行可否、に関する情報を前記サービス提供サーバへ送信する請求項６又は７に記載のサービス提供システム。
【請求項９】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行う情報収集部、を備えるゲートウェイ装置。
【請求項１０】
前記サービス提供サーバから送信される前記サービス情報取得要求を受信し、前記サービス提供サーバに関する認証処理を行う認証部をさらに備える、請求項９に記載のゲートウェイ装置。
【請求項１１】
前記情報収集部は、
移動局が在圏するエリアを管理する基地局情報を収集する、請求項９又は１０に記載のゲートウェイ装置。
【請求項１２】
前記情報収集部は、
前記移動局の識別情報を用いて、前記移動局の加入者情報を管理する加入者情報管理装置から前記移動局の移動制御を行う移動制御装置の識別情報を取得し、前記移動制御装置から前記基地局情報を収集する、請求項１１に記載のゲートウェイ装置。
【請求項１３】
前記情報収集部は、
前記移動制御装置を介して、基地局が保有するノード保有情報を収集する、請求項１２に記載のゲートウェイ装置。
【請求項１４】
前記情報収集部は、
前記各ノード装置が保有するデータ通信量に関する情報を収集し、前記データ通信量に基づいて前記移動通信網内の混雑度に関する情報を生成する前記情報生成装置へ前記データ通信量に関する情報を送信する、請求項９乃至１３のいずれか１項に記載のゲートウェイ装置。
【請求項１５】
前記情報収集部は、
前記サービス提供サーバにおいて指定されたエリアにおけるデータ通信を実行しているデータ中継装置における前記データ通信量に関する情報を収集する、請求項１４に記載のゲートウェイ装置。
【請求項１６】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行う、情報収集方法。
【請求項１７】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行うステップをコンピュータに実行させるプログラムが格納された非一時的なコンピュータ可読媒体。
【発明の詳細な説明】
【技術分野】
【０００１】
本発明はサービス提供システムに関し、特に移動通信網とサービス提供サーバとが連携してサービスを提供するサービス提供システムに関する。
【背景技術】
【０００２】
近年、移動通信事業者とは異なるサービス業者から、携帯電話端末等の移動通信装置に対して様々なサービスが提供されている。移動通信事業者とは異なるサービス業者が増加することにより、提供サービスが多様化し、ユーザは様々なサービスを受けることができるというメリットがある。【０００３】
特許文献１には、センサーと、モバイル情報端末と、アプリケーションサーバとが連携して、モバイル情報端末にサービスを提供するシステムが開示されている。具体的には、モバイル情報端末は、複数のセンサー情報を取得する。さらに、モバイル情報端末は、取得したセンサー情報をアプリケーションサーバへ送信する。ここで、アプリケーションサーバは、モバイル情報端末から送信されたセンサー情報に基づいて、アドバイス情報を作成して、モバイル情報端末に送信する。このようにして、モバイル情報端末は、センサー情報に基づいたアドバイスサービスを受けることができる。
【先行技術文献】
【特許文献】
【０００４】
【特許文献１】特開２０１０−１６５１１２号公報
【発明の概要】
【発明が解決しようとする課題】
【０００５】
現在、アプリケーションサーバ等の第三者が提供するサーバを用いたサービス提供において、モバイル端末から送信される情報のみではなく、様々な情報を用いてサービスを提供することが望まれている。例えば、第三者が提供するサーバにおいて、移動通信事業者が保有するネットワーク情報等を用いてサービスを提供することも考えられている。しかし、現在の移動通信網は、第三者が提供するサーバからの要求に応じて、ネットワーク情報等を柔軟に提供するような構成には対応していないという問題がある。【０００６】
本発明はこのような問題を解決するために、第三者が提供するサーバからの要求に応じて、柔軟にネットワーク情報を提供することができるサービス提供システム、ゲートウェイ装置、情報収集方法及びプログラムを提供することを目的とする。
【課題を解決するための手段】
【０００７】
本発明の第１の態様にかかるサービス提供システムは、外部通信網内に配置されたサービス提供サーバから、サービスを提供する際に必要となるサービス情報取得要求が送信されると、移動通信網内の各ノード装置が保有するノード保有情報の収集を行う情報収集手段と、前記各ノードから収集した前記ノード保有情報に基づいて移動通信網情報を生成する情報生成手段と、前記移動通信網情報を前記サービス提供サーバへ送信する通信手段と、を備えるものである。【０００８】
本発明の第２の態様にかかるゲートウェイ装置は、移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報送信するために、前記サービス提供サーバから、サービスを提供する際に必要となるサービス情報取得要求が送信されると、移動通信網内の各ノード装置が保有するノード保有情報の収集を行う情報収集部、を備えるものである。【０００９】
本発明の第３の態様にかかる情報収集方法は、移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報送信するために、前記サービス提供サーバから、サービスを提供する際に必要となるサービス情報取得要求が送信されると、移動通信網内の各ノード装置が保有するノード保有情報の収集を行うものである。【００１０】
本発明の第４の態様にかかるプログラムは、移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報送信するために、前記サービス提供サーバから、サービスを提供する際に必要となるサービス情報取得要求が送信されると、移動通信網内の各ノード装置が保有するノード保有情報の収集を行うステップをコンピュータに実行させるものである。
【発明の効果】
【００１１】
本発明により、様々な情報を用いたサービスを提供するために、第三者が提供するサーバからの要求に応じて、柔軟にネットワーク情報を提供することができるサービス提供システム、ゲートウェイ装置、情報収集方法及びプログラムを提供することができる。
【図面の簡単な説明】
【００１２】
【図１】実施の形態１にかかるサービス提供システムの構成図である。
【図２】実施の形態１にかかるサービス提供システムの構成図である。
【図３】実施の形態１にかかるＭＴＣ−ＩＷＦの構成図である。
【図４】実施の形態１にかかるＭ２ＭサービスＰＦと、ＭＴＣ−ＩＷＦとの間における信号の流れを示す図である。
【図５】実施の形態１にかかる移動通信網情報送信処理の流れを説明する図である。
【図６】実施の形態２にかかるノード保有情報収集処理の流れを説明する図である。
【図７】実施の形態３にかかるノード保有情報収集処理の流れを説明する図である。
【図８】実施の形態３にかかるノード保有情報収集処理の流れを説明する図である。
【図９】実施の形態１〜３にかかるＭＴＣ−ＩＷＦを３ＧＰＰ技術仕様書に規定されているネットワークに適用した場合の構成図である。
【発明を実施するための形態】
【００１３】
（実施の形態１）
以下、図面を参照して本発明の実施の形態について説明する。はじめに、図１を用いて本発明の実施の形態１にかかるサービス提供システムの構成例について説明する。サービス提供システムは、ゲートウェイ装置１と、サービス提供サーバ５０と、ノード装置４１〜４３とを有している。ゲートウェイ装置１は、情報収集部１０と、情報生成部２０と、通信部３０とを備えている。
【００１４】
また、本図においては、サービス提供サーバ５０は、外部通信網内に配置され、ゲートウェイ装置１と、ノード装置４１〜４３とは、移動通信網内に配置されている例について説明する。本図以外の構成として、例えば、情報生成部２０と、通信部３０とが、ゲートウェイ装置１と異なる装置に配置されてもよく、さらに、情報生成部２０と通信部３０とを備える装置が、外部通信網内に配置されてもよく、もしくは移動通信網内に配置されてもよい。
【００１５】
続いて、ゲートウェイ装置１の構成について説明する。情報収集部１０は、外部通信網内に配置されたサービス提供サーバ５０から、サービスを提供する際に必要となるサービス情報取得要求を受け取る。サービス情報とは、例えば、サービス提供サーバ５０が指定する移動通信端末の位置情報や、移動通信網内において伝送されるデータによって生じる移動通信網内の混雑度であってもよい。
【００１６】
さらに、情報収集部１０は、サービス情報取得要求を受け取ると、移動通信網内のノード装置４１〜４３が保有するノード保有情報を収集する。ここで、ノード装置は３台に制限されず、３台以上であってもよく、３台未満であってもよい。ノード装置は、例えば、基地局や、コアネットワーク装置等である。基地局は、例えば、３ＧＰＰの技術仕様書に規定されているｅＮｏｄｅＢ（evolved NodeB）であってもよい。ｅＮｏｄｅＢは、無線方式としてＬＴＥを採用する基地局である。コアネットワーク装置は、例えば、３ＧＰＰの技術仕様書に規定されている、ＭＭＥ（Mobility Management Entity）、ＳＧＷ（Serving GW）、ＰＧＷ(PDN GW)もしくはＰＣＲＦ（Policy and Charging Rules Function）等であってもよい。ＭＭＥは、主に移動局の移動管理を行う。ＳＧＷは、ＭＭＥとＰＧＷ間において転送されるユーザデータを中継する。ＰＧＷは、外部通信網とのインタフェースとして用いられる。ＰＣＲＦは、移動通信網内のポリシー制御及び課金制御を行う。
【００１７】
ノード保有情報とは、例えば、基地局においては、指定された移動通信端末が、現在基地局に接続されているか否かに関する情報であってもよい。もしくは、ノード保有情報は、例えば、ＭＭＥにおいては、指定された移動通信端末が在圏するエリアを管理する基地局を示す情報であってもよい。その他、ノード保有情報とは、例えば、それぞれのノード装置におけるＣＰＵ使用率や、データ通信量等に関する情報であってもよい。
【００１８】
情報生成部２０は、ノード装置４１〜４３から収集したノード保有情報に基づいて、移動通信網情報を生成する。移動通信網情報とは、例えば、ノード装置４１〜４３におけるデータ通信量に関する情報に基づいて、移動通信網全体が混雑しているか否かを示す情報であってもよい。もしくは、移動通信網情報は、指定されたエリアが混雑しているか否かを示す情報であってもよい。もしくは、移動通信網情報は、ノード装置４１〜４３から収集したノード保有情報を集計した情報であってもよい。
【００１９】
通信部３０は、情報生成部２０において生成された移動通信網情報を、サービス提供サーバ５０へ送信する。例えば、通信部３０は、サービス提供サーバ５０から送信されたサービス情報取得要求に対する応答信号を送信する際に、応答信号に移動通信網情報を設定してもよい。
【００２０】
以上説明したように、図１にかかるサービス提供システムを用いることにより、サービス提供サーバ５０は、移動通信網内のノード保有情報に基づいて生成される移動通信網情報を取得することができる。つまり、サービス提供サーバ５０は、一般的には、移動通信網を管理する移動通信事業者しか知りえないノード保有情報に基づいた移動通信情報を、取得することができる。これにより、サービス提供サーバ５０が取得することができる情報の種類が多くなり、サービス提供サーバ５０は、取得した情報を、様々なサービスを提供する際に用いることができる。
【００２１】
続いて、図２を用いて本発明の実施の形態１にかかるサービス提供システムの詳細な構成例について説明する。図２のサービス提供システムは、３ＧＰＰの技術仕様書に規定されている装置を用いて構成される。図２のサービス提供システムは、ＵＥ（User Equipment）１０１と、ｅＮＢ（evolved NodeB）１１１と、ＭＭＥ（Mobility Management Entity）１１２と、ＭＴＣ（Machine Type Communication）−ＩＷＦ（Inter Working Function）１１３と、ＳＣＳ（Service Capability Server）１２１と、Ｍ２ＭサービスＰＦ１３１とから構成されている。
【００２２】
ここで、ＵＥ１０１は、図１において説明した移動通信端末に対応する。ｅＮＢ１１１及びＭＭＥ１１２は、図１において説明したノード装置４１〜４３に対応する。ＭＴＣ−ＩＷＦ１１３は、図１において説明した情報収集部１０を備えるゲートウェイ装置１に対応する。ＳＣＳ１２１は、図１において説明した情報生成部２０及び通信部３０を備える装置に対応する。Ｍ２ＭサービスＰＦ１３１は、図１において説明したサービス提供サーバ５０に対応する。
【００２３】
Ｍ２ＭサービスＰＦ１３１は、移動通信網とは異なる外部通信網に配置される。Ｍ２ＭサービスＰＦ１３１は、ひとつのサーバ装置から構成されてもよく、複数のサーバ装置から構成されてもよい。Ｍ２ＭサービスＰＦ１３１は、サービスを提供する際に必要となるサービス情報取得要求をＳＣＳ１２１へ通知する。Ｍ２ＭサービスＰＦ１３１が提供するサービスとして、例えば、端末の位置情報を用いるサービスがある。さらに具体的には、移動通信端末としてセンサー装置が用いられる場合に、センサー装置におけるセンサー情報と共に、センサー装置の位置情報を取得する。センサー情報が気温情報である場合、位置情報と組み合わせることにより、該当する位置の気温を検知することができる。これらのサービスは、一例であり、Ｍ２ＭサービスＰＦ１３１は、移動通信網情報を用いて様々なサービスを提供することができる。
【００２４】
ＳＣＳ１２１は、ＭＴＣ−ＩＷＦ１１３と、Ｍ２ＭサービスＰＦ１３１との間に配置され、制御データや、ユーザ情報等を、それぞれの装置において読み取り可能な形式に変換等する。例えば、ＳＣＳ１２１は、Ｍ２ＭサービスＰＦ１３１から通知されるサービス情報取得要求として、あるＵＥの位置情報の取得が指定された場合、指定されたＵＥのＩＭＳＩや、ＭＳＩＳＤＮ等の識別子を、ＭＴＣ−ＩＷＦ１１３へ通知してもよい。また、ＳＣＳ１２１は、情報生成部２０及び通信部３０を備えている。そのため、ＳＣＳ１２１は、ＭＴＣ−ＩＷＦ１１３から通知されるノード保有情報を集計し、移動通信網情報を生成し、生成した移動通信網情報をＭ２ＭサービスＰＦ１３１へ通知してもよい。
【００２５】
ＭＴＣ−ＩＷＦ１１３は、ＳＣＳ１２１と、ｅＮＢ１１１もしくはＭＭＥ１１２等のノード装置との間の通信を中継する。つまり、ＭＴＣ−ＩＷＦ１１３と、ＳＣＳ１２１とが連携して動作することにより、ＭＴＣ−ＩＷＦ１１３及びＳＣＳ１２１は、外部通信網に配置されているサービス提供サーバ５０との間のゲートウェイとしての役割を果たす。ＭＴＣ−ＩＷＦ１１３は、ＭＴＣサーバとＭＴＣ−ＩＷＦとが一体となった装置でもよく、ＭＴＣサーバとＭＴＣ−ＩＷＦとが異なる装置であってもよい。ＭＴＣ−ＩＷＦ１１３は、ＳＣＳ１２１から、サービス取得要求に関する情報を受信する。
【００２６】
ここで、ＭＴＣ−ＩＷＦ１１３は、Ｍ２ＭサービスＰＦ１３１が、移動通信網情報の送信先として予め許可されている送信先であるか否かに関する認証処理を実行してもよい。ＭＴＣ−ＩＷＦ１１３は、移動通信網情報の送信先として予め許可されている送信先の一覧に関する情報を管理していてもよい。ＭＴＣ−ＩＷＦ１１３は、サービス情報取得要求に関する情報と共に送信されるＭ２ＭサービスＰＦ１３１の識別情報が、管理している送信先の一覧に含まれているか否かを判定することにより、Ｍ２ＭサービスＰＦ１３１の認証処理を実行してもよい。
【００２７】
サービス情報取得要求に関する情報に、位置情報を取得する移動通信端末が指定されている場合、ＭＴＣ−ＩＷＦ１１３は、認証処理実行後、指定された移動通信端末の位置情報を収集する。移動通信端末の位置情報は、ＭＭＥ１１２において管理されているため、ＭＴＣ−ＩＷＦ１１３は、ＭＭＥ１１２から位置情報を収集する。
【００２８】
ＭＭＥ１１２は、ＵＥ１０１の在圏するエリアを管理するｅＮＢ１１１の情報を有する。ＭＭＥ１１２は、ＭＴＣ−ＩＷＦ１１３において位置情報の収集が行われる場合、ＭＴＣ−ＩＷＦ１１３に対して、ＵＥの在圏する基地局情報を送信してもよい。ＭＭＥ１１２は、都道府県単位に配置されてもよく、もしくは、都道府県よりも小さい地方単位で移動通信網内に配置されてもよい。
【００２９】
また、ＭＴＣ−ＩＷＦ１１３において、ｅＮＢ１１１が保有するノード保有情報の収集が行われる場合に、ＭＭＥ１１２は、ｅＮＢ１１１が保有するノード保有情報を収集し、ＭＴＣ−ＩＷＦ１１３へ送信してもよい。つまり、ＭＭＥ１１２は、ＭＴＣ−ＩＷＦ１１３とｅＮＢ１１１との間の通信を中継してもよい。
【００３０】
ｅＮＢ１１１は、ＵＥ１０１と無線回線を介して通信を行う。例えば、ｅＮＢ１１１は、ＵＥ１０１が現在接続されているか否か等のノード保有情報を有する。
【００３１】
ＵＥ１０１は、携帯電話端末や、スマートフォン端末、ノートブック型パーソナルコンピュータ等であってもよく、自動車や、電車等に通信機能が搭載された移動手段であってもよく、時計等のユーザが身につける機械に通信機能を搭載したものであってもよい。もしくは、ＵＥ１０１は、通信機能が搭載された自動販売機等のように、移動する頻度が少なく、無線回線を介して制御される装置であってもよい。
【００３２】
また、上記の説明においては、ＳＣＳ１２１は、ＭＴＣ−ＩＷＦ１１３及びＭ２ＭサービスＰＦ１３１と異なる装置として説明したが、ＳＣＳ１２１は、ＭＴＣ−ＩＷＦ１１３と同一の装置に備えられてもよい。
【００３３】
また、ＭＭＥ１１２や、ｅＮＢ１１１等のノード装置は、ノード保有情報を、ＭＴＣ−ＩＷＦ１１３からの要求に応じてＭＴＣ−ＩＷＦ１１３へ送信してもよく、定期的にＭＴＣ−ＩＷＦ１１３へ送信してもよい。もしくは、ＭＭＥ１１２や、ｅＮＢ１１１等のノード装置は、一定数以上のノード保有情報を蓄積した場合に、蓄積したノード保有情報をＭＴＣ−ＩＷＦ１１３へ送信してもよい。
【００３４】
続いて、図３を用いて本発明の実施の形態１にかかるＭＴＣ−ＩＷＦ１１３の構成例について説明する。ＭＴＣ−ＩＷＦ１１３は、情報収集部１０と、ＳＣＳインタフェース１１と、ノード装置インタフェース１２と、認証部１３とを備えている。
【００３５】
ＳＣＳインタフェース１１は、ＳＣＳ１２１と通信を行うために用いられ、ＳＣＳ１２１とデータ通信を行う。ＳＣＳインタフェース１１は、ＳＣＳ１２１を介して、Ｍ２ＭサービスＰＦ１３１からサービス情報取得要求に関する信号を受信する。さらに、ＳＣＳインタフェース１１は、受信した信号を情報収集部１０へ出力する。また、ＳＣＳインタフェース１１は、情報収集部１０において収集されたノード保有情報を、ＳＣＳ１２１へ送信する。
【００３６】
ノード装置インタフェース１２は、ＭＭＥ１１２及びｅＮＢ１１１等のノード装置に対して、ノード保有情報を収集するために指示信号を送信する。さらに、ノード装置インタフェース１２は、ノード装置から、ノード保有情報を受信する。ノード装置インタフェース１２は、受信したノード保有情報を情報収集部１０へ出力する。
【００３７】
情報収集部１０は、サービス情報取得要求に関する情報に含まれる、Ｍ２ＭサービスＰＦ１３１の識別情報を用いて認証処理を行う。具体的には、情報収集部１０は、認証部１３を用いて認証処理を行う。認証部１３には、ＭＴＣ−ＩＷＦ１１３の通信先として許可されているＭ２ＭサービスＰＦの識別情報が格納されている。
【００３８】
認証部１３には、複数のＭ２ＭサービスＰＦの識別情報が格納されてもよい。情報収集部１０は、Ｍ２ＭサービスＰＦ１３１の識別情報が、認証部１３に格納されているか否かを判定する。情報収集部１０は、Ｍ２ＭサービスＰＦ１３１の識別情報が、認証部１３に格納されている場合には、ノード装置インタフェース１２を介して、ノード保有情報の収集を行う。情報収集部１０は、Ｍ２ＭサービスＰＦ１３１の識別情報が、認証部１３に格納されていない場合には、ＳＣＳインタフェース１１を介して、Ｍ２ＭサービスＰＦ１３１との通信を拒否する旨の通知を行う。
【００３９】
情報収集部１０は、ノード装置インタフェース１２を介して受け取ったノード保有情報を、ＳＣＳインタフェース１１を介してＭ２ＭサービスＰＦ１３１へ送信する。
【００４０】
続いて、図４を用いて、本発明の実施の形態１にかかるＭ２ＭサービスＰＦ１３１と、ＭＴＣ−ＩＷＦ１１３との間における信号の流れを示すシーケンスについて説明する。
【００４１】
はじめに、Ｍ２ＭサービスＰＦ１３１は、サービスを提供するために、移動通信網から取得するサービス情報を決定する（Ｓ１１）。ここでは、Ｍ２ＭサービスＰＦ１３１は、ＵＥ１０１の位置情報をサービス情報として決定する。次に、Ｍ２ＭサービスＰＦ１３１は、ＳＣＳ１２１へサービス情報取得要求を通知する（Ｓ１２）。
【００４２】
次に、ＳＣＳ１２１は、ＭＴＣ−ＩＷＦ１１３へDevice Trigger Requestを送信する（Ｓ１３）。Device Trigger Requestには、ＵＥ１０１を識別するために用いられる、ＩＭＳＩ、ＭＳＩＳＤＮや、Ｍ２ＭサービスＰＦ１３１の識別情報等が含まれている。その他、Device Trigger Request信号の有効期間を示すValidity periodや、本信号のpriority情報、ＳＣＳ ＩＤ、ＮＷポリシ情報等が含まれていてもよい。
【００４３】
次に、ＭＴＣ−ＩＷＦ１１３は、Ｍ２ＭサービスＰＦ１３１の認証処理を実行する（Ｓ１４）。具体的には、ＭＴＣ−ＩＷＦ１１３は、Ｍ２ＭサービスＰＦ１３１が、移動通信網情報の送信先として予め許可されているか否かを判定する。ＭＴＣ−ＩＷＦ１１３は、認証部１３に格納されているＭ２ＭサービスＰＦの識別情報に、Ｍ２ＭサービスＰＦ１３１の識別情報が含まれているか否かを確認する。
【００４４】
続いて、図５を用いて、本発明の実施の形態１にかかる移動通信網情報送信処理の流れについて説明する。はじめに、ＭＴＣ−ＩＷＦ１１３は、Ｍ２ＭサービスＰＦ１３１から送信されたサービス情報取得要求を許可すると判定した場合、ＵＥ１０１の位置情報を保有するＭＭＥを特定する必要がある。そのため、ＭＴＣ−ＩＷＦ１１３は、ＨＳＳに対して、Subscriber Information Requestを送信する（Ｓ２１）。ＨＳＳは、３ＧＰＰの技術仕様書において規定されているノード装置であり、ＵＥの加入者情報や、ＵＥを管理しているＭＭＥの情報等を保持している。Subscriber Information Requestには、ＵＥ１０１の識別情報であるＭＳＩＳＤＮや、ＳＣＳ ＩＤ等が含まれている。
【００４５】
次に、ＨＳＳは、ＭＴＣ−ＩＷＦ１１３へSubscriber Information Responseを送信する（Ｓ２２）。Subscriber Information Responseは、Subscriber Information Requestに対する応答信号であり、ＵＥ１０１の位置情報を保有するＭＭＥ１１２の識別情報をＭＴＣ−ＩＷＦ１１３へ通知するために用いられる。
【００４６】
次に、ＭＴＣ−ＩＷＦ１１３は、ＨＳＳから通知されたＭＭＥ１１２からＵＥ１０１の位置情報を取得するために、ＭＭＥ１１２へノード保有情報収集に関する信号を通知する（Ｓ２３）。ノード保有情報収集に関する信号には、ＵＥ１０１を識別するために用いられるＩＭＳＩ、ＭＳＩＳＤＮが含まれている。その他、ノード保有情報収集に関する信号の有効期間を示すValidity periodや、本信号のpriority情報、ＳＣＳ ＩＤ、ＮＷポリシ情報等が含まれていてもよい。
【００４７】
次に、ＭＭＥ１１２は、ＭＴＣ−ＩＷＦ１１３へノード保有情報収集応答信号を送信する（Ｓ２４）。ノード保有情報収集応答信号には、ＵＥ１０１に関する位置情報が含まれている。例えば、ＵＥ１０１に関する位置情報として、ＵＥ１０１が在圏するエリアを管理する基地局情報が用いられてもよい。基地局は、例えば半径数ｋｍ程度のエリアを管理するため、基地局の設置位置から、ＵＥ１０１のおおよその位置を特定することができる。
【００４８】
次に、ＭＴＣ−ＩＷＦ１１３は、ＳＣＳ１２１に対して、Delivery Report信号を送信する（Ｓ２５）。Delivery Reportは、図４のステップ１３において、ＳＣＳ１２１からＭ２ＭサービスＰＦ１３１へ送信されたDevice Trigger Request信号の応答信号として用いられてもよい。Delivery Reportは、ＭＴＣ−ＩＷＦ１１３が収集したノード保有情報である、ＵＥ１０１の位置情報を含む。
【００４９】
次に、ＳＣＳ１２１は、Ｍ２ＭサービスＰＦ１３１へ通知する移動通信網情報を生成する（Ｓ２６）。例えば、ＳＣＳ１２１は、Ｍ２ＭサービスＰＦ１３１へ基地局情報を送信するのではなく、基地局情報から推測されるＵＥ１０１の在圏場所に関する情報を移動通信網情報として生成してもよい。ＵＥ１０１の在圏場所とは、例えば、特定の住所を中心とする半径数ｋｍ以内等としてもよい。
【００５０】
ＳＣＳ１２１は、生成した移動通信網情報をＭ２ＭサービスＰＦ１３１へ送信する。これにより、Ｍ２ＭサービスＰＦ１３１は、ＵＥ１０１の位置情報を取得することができる。
【００５１】
以上説明したように、本発明の実施の形態１にかかるサービス提供システムを用いることにより、Ｍ２ＭサービスＰＦ１３１は、移動通信網内のノード装置が保有する情報に基づいて生成される移動通信網情報を取得することができる。一般的に、ＵＥの位置情報として、ＧＰＳ情報を取得することも考えられる。しかし、センサー等を搭載した簡易な無線端末の場合、処理能力等の制限によりＧＰＳ機能を搭載することができない場合がある。このような場合に、移動通信網内の基地局情報等を用いることにより、Ｍ２ＭサービスＰＦ１３１は、ＵＥの位置を把握することができる。
【００５２】
（実施の形態２）
続いて、図６を用いて、本発明の実施の形態２にかかるノード保有情報収集処理の流れについて説明する。本実施の形態においては、Ｍ２ＭサービスＰＦ１３１が、サービス提供情報として、ＵＥ１０１に割り当てられている帯域情報や、ＱｏＳ情報等の取得を要求しているとする。これらの情報は、ｅＮＢ１１１において保有されている。そのため、ＭＴＣ−ＩＷＦ１１３は、ｅＮＢ１１１からノード保有情報を収集する必要がある。
【００５３】
はじめに、ＭＴＣ−ＩＷＦ１１３は、ＨＳＳへSubscriber Information Request信号を送信する（Ｓ３１）。Subscriber Information Requestには、ＵＥ１０１の識別情報であるＭＳＩＳＤＮや、ＳＣＳ ＩＤ等が含まれている。次に、ＨＳＳは、ＭＴＣ−ＩＷＦ１１３へSubscriber Information Responseを送信する（Ｓ３２）。Subscriber Information Responseは、Subscriber Information Requestに対する応答信号であり、ＵＥ１０１を管理しているＭＭＥ１１２の識別情報をＭＴＣ−ＩＷＦ１１３へ通知するために用いられる。
【００５４】
次に、ＭＴＣ−ＩＷＦ１１３は、ＭＭＥ１１２へノード保有情報収集信号を送信する（Ｓ３３）。ノード保有情報収集信号には、ＵＥ１０１を識別するために用いられる、ＩＭＳＩ、ＭＳＩＳＤＮが含まれている。さらに、ＵＥ１０１を管理するｅＮＢからノード保有情報を収集することを示す情報が含まれている。
【００５５】
次に、ＭＭＥ１１２は、ＵＥ１０１を管理するｅＮＢ１１１へTransfer Message信号を送信する（Ｓ３４）。Transfer Message信号には、ＵＥ１０１を識別するために用いられるＩＭＳＩや、ＭＳＩＳＤＮ等が含まれている。さらに、Transfer Message信号には、ｅＮＢ１１１が、ＵＥ１０１へ割り当てている帯域情報の送信指示に関する情報が含まれている。ｅＮＢ１１１は、Transfer Message信号を受信すると、ＵＥ１０１へ割り当てている帯域情報を含むTransfer Message response信号をＭＭＥ１１２へ送信する。
【００５６】
次に、ＭＭＥ１１２は、ＭＴＣ−ＩＷＦ１１３に対してｅＮＢ１１１から収集した帯域割り当て情報をノード保有情報としてＭＴＣ−ＩＷＦ１１３へ送信する（Ｓ３６）。以降の処理は、図５におけるステップＳ２５以降と同様であるため、詳細な説明を省略する。
【００５７】
以上説明したように、本発明の実施の形態２にかかるサービス提供システムを用いることにより、ＭＴＣ−ＩＷＦ１１３は、ＭＭＥ１１２を介してｅＮＢ１１１におけるノード保有情報を収集することができる。つまり、ＭＴＣ−ＩＷＦ１１３は、直接ｅＮＢ１１１からノード保有情報を収集することができない場合においても、ｅＮＢ１１１を管理しているＭＭＥ１１２を介して、ｅＮＢ１１１におけるノード保有情報を収集することができる。
【００５８】
（実施の形態３）
続いて、図７を用いて本発明の実施の形態３にかかるノード保有情報収集処理の流れについて説明する。本実施の形態においては、Ｍ２ＭサービスＰＦ１３１が、サービス提供情報として、移動通信網内のあるエリアにおける混雑度情報の取得を要求しているとする。移動通信網内の混雑度に関する情報は、ＳＧＷやＰＧＷにおけるデータ転送量等の情報に基づいて生成される。そのため、ＭＴＣ−ＩＷＦ１１３は、ＳＧＷやＰＧＷからノード保有情報としてデータ転送量を収集する必要がある。
【００５９】
はじめに、ＭＴＣ−ＩＷＦ１１３は、Ｍ２ＭサービスＰＦ１３１において指定されたエリアにおけるＳＧＷ及びＰＧＷを特定する。そのため、Ｍ２ＭサービスＰＦ１３１は、指定されたエリアにおけるＳＧＷ及びＰＧＷを管理しているＭＭＥ情報を取得するために、ＭＭＥ情報取得要求信号をＨＳＳへ送信する（Ｓ４１）。ＭＭＥ情報取得要求信号には、指定されたエリアに関する情報が含まれてもよい。次に、ＨＳＳは、指定されたエリアにおけるＳＧＷ及びＰＧＷを管理するＭＭＥ１１２に関する情報を含むＭＭＥ情報取得要求応答信号をＭＴＣ−ＩＷＦ１１３へ送信する（Ｓ４２）。ここで、ＭＭＥ情報取得要求信号及びＭＭＥ情報取得要求応答信号は、Subscriber Information Request信号及びSubscriber Information Request信号であってもよい。
【００６０】
次に、ＭＴＣ−ＩＷＦ１１３は、指定されたエリアにおけるＳＧＷ及びＰＧＷ情報を取得するために、ＳＧＷ／ＰＧＷ情報取得要求信号をＭＭＥ１１２へ送信する（Ｓ４３）。この時、ＭＴＣ−ＩＷＦ１１３は、定期的にＳＧＷ／ＰＧＷ情報取得要求信号をＭＭＥへ送信してもよい。定期的に送信されるＳＧＷ／ＰＧＷ情報取得要求信号は、あらかじめ送信される周期が定められてもよい。さらに、定期的に送信されるＳＧＷ／ＰＧＷ情報取得要求信号には、情報収集の対象となるＳＧＷもしくはＰＧＷを識別する情報が設定されてもよい。ＳＧＷ／ＰＧＷ情報取得要求信号には、指定されたエリアに関する情報が含まれてもよい。次に、ＭＭＥ１１２は、指定されたエリアにおけるＳＧＷ及びＰＧＷの識別情報を含むＳＧＷ／ＰＧＷ情報取得要求応答信号をＭＴＣ−ＩＷＦ１１３へ送信する（Ｓ４４）。
【００６１】
次に、ＭＴＣ−ＩＷＦ１１３は、ＳＧＷ／ＰＧＷ情報取得要求応答信号に含まれるＳＧＷ及びＰＧＷの識別情報に基づいて、ＳＧＷ及びＰＧＷへノード保有情報収集信号を送信する（Ｓ４５）。次に、ノード保有情報収集信号を受信したＳＧＷ及びＰＧＷは、自身の装置におけるデータ通信量情報を設定したノード保有情報収集応答信号をＭＴＣ−ＩＷＦ１１３へ送信する（Ｓ４６）。以降の処理は、図５のステップＳ２５以降と同様であるため詳細な説明を省略する。
【００６２】
ここで、ＳＣＳ１２１における情報加工（図５のステップＳ２６）においては、収集したそれぞれのＳＧＷ及びＰＧＷにおけるデータ通信量に基づいて混雑度情報を生成し、生成した混雑度情報をＭ２ＭサービスＰＦ１３１へ通知する。例えば、ＳＧＷ及びＰＧＷにおけるデータ通信量が、予め定められた閾値を超える場合、混雑していることをＭ２ＭサービスＰＦ１３１へ通知してもよい。ＳＧＷ及びＰＧＷにおけるデータ通信量が、予め定められた閾値を超えない場合、混雑していないことをＭ２ＭサービスＰＦ１３１へ通知してもよい。ここで、混雑度は、複数の閾値を用いて判定され、複数レベル設定されてもよい。
【００６３】
続いて、本発明の実施の形態３にかかるノード保有情報収集処理の流れについて、図８を用いて図７と異なる流れについて説明する。
【００６４】
ステップＳ５１〜Ｓ５３は、図７のステップＳ４１〜Ｓ４３と同様であるため詳細な説明を省略する。
【００６５】
次に、ステップＳ５４において、ＭＭＥ１１２は、指定されたエリアにおけるＳＧＷに対してノード保有情報収集信号を送信する（Ｓ５４）。次に、ノード保有情報収集信号を受信したＳＧＷは、指定されたエリアにおけるＰＧＷに対してノード保有情報収集信号を送信する（Ｓ５５）。次に、ノード保有情報収集信号を受信したＰＧＷは、自身の装置におけるデータ通信量情報を設定したノード保有情報収集応答信号をＳＧＷへ送信する（Ｓ５６）。さらに、ノード保有情報収集応答信号を受信したＳＧＷは、自身の装置におけるデータ通信量情報及びＰＧＷにおけるデータ通信量情報をＭＭＥ１１２へ送信する（Ｓ５７）。次に、ＭＭＥ１１２は、ＳＧＷ及びＰＧＷから収集したノード保有情報を、ＭＴＣ−ＩＷＦ１１３へ送信する（Ｓ５８）。つまり、図７のように、ＭＴＣ−ＩＷＦ１１３がノード保有情報を収集してもよく、図８のように、ＭＴＣ−ＩＷＦ１１３は、ＭＭＥ１１２が収集したノード保有情報をＭＭＥ１１２から取得してもよい。
【００６６】
さらに、ステップＳ５４において、ＭＭＥ１１２は、ｅＮＢ１１１に対して、ノード保有情報収集信号を送信し、ｅＮＢ１１１におけるデータ通信量に関する情報を収集してもよい。ステップＳ５８において、ＭＭＥ１１２は、ＭＴＣ−ＩＷＦ１１３に対して、ｅＮＢ１１１から収集したノード保有情報を送信してもよく、もしくは、自身の装置で管理しているｅＮＢ１１１のデータ通信量等に関するノード保有情報を送信してもよい。なお、ステップＳ５８において、ＭＭＥ１１２が、自身の装置で管理しているｅＮＢ１１１におけるデータ通信量に関する情報を含むノード保有情報を送信する場合には、ステップＳ５４からＳ５７までのＳＧＷおよびＰＧＷに対するノード保有情報の送信は行わなくてもよい。
【００６７】
さらに、ステップＳ５８において、ＭＭＥ１１２は、ＵＥ１０１の識別情報であるＩＭＥＩ（International Mobile Equipment Identifier）及びＩＭＳI（International Mobile Subscriber Identity）を、ＭＴＣ−ＩＷＦ１１３へ送信してもよい。ＭＭＥ１１２は、ＵＥ１０１から収集したＩＭＥＩ及びＩＭＳＩを送信してもよく、自身の装置で管理しているＩＭＥＩ及びＩＭＳＩを送信してもよい。ＭＴＣ−ＩＷＦ１１３は、ＩＭＥＩ及びＩＭＳＩを用いて、ＭＴＣ−ＩＷＦ１１３に接続を行うＵＥが、正しいユーザによって利用されているか、というような認証を行うことができる。なお、ステップＳ５８において、ＭＭＥ１１２が、自身の装置で管理しているＵＥ１０１のＩＭＥＩまたはＩＭＳＩを含むノード保有情報を送信する場合には、ステップＳ５４からＳ５７までのＳＧＷおよびＰＧＷに対するノード保有情報の送信は行わなくてもよい。
【００６８】
さらに、ステップＳ５８において、ＭＭＥ１１２は、ＵＥ１０１と移動通信網との間の接続及び切断回数に関する情報をＭＴＣ−ＩＷＦ１１３へ送信してもよい。ＭＭＥ１１２は、ＵＥ１０１から収集した接続及び切断回数に関する情報を送信してもよく、自身の装置で管理しているＵＥ１０１の接続及び切断回数に関する情報を送信してもよい。ＭＴＣ−ＩＷＦ１１３は、ＵＥの接続及び切断回数を用いて、ＵＥの動作や、ＵＥの挙動を把握することができる。例えば、あるＵＥで起動しているアプリケーションが頻繁に接続および切断を繰り返しており、移動通信網の輻輳の原因になっている、というようなＵＥの動作や挙動の把握や特定が可能である。なお、ステップＳ５８において、ＭＭＥ１１２が、自身の装置で管理しているＵＥ１０１の接続及び切断回数に関する情報を含むノード保有情報を送信する場合には、ステップＳ５４からＳ５７までのＳＧＷおよびＰＧＷに対するノード保有情報の送信は行わなくてもよい。
【００６９】
以上説明したように、本発明の実施の形態３におけるサービス提供システムを用いることにより、ＳＧＷ及びＰＧＷからデータ通信量に関する情報を収集することができる。これにより、移動通信網内の混雑度を推定することが可能となり、Ｍ２ＭサービスＰＦ１３１は、移動通信網内の混雑度を取得することができる。
【００７０】
さらに、ＳＣＳ１２１は、混雑度をＭ２ＭサービスＰＦ１３１へ通知する際に、混雑度に応じて制御情報を付加してもよい。例えば、移動通信網内が混雑している場合、ＳＣＳ１２１は、Ｍ２ＭサービスＰＦ１３１における移動通信網を介した情報配信サービスを許可しない旨を合わせて通知する等してもよい。これにより、移動通信網内の混雑度に応じて、Ｍ２ＭサービスＰＦ１３１における情報配信サービス等の実行を制御することができるため、移動通信網内のデータ通信に用いる資源を効率的に活用することができる。
【００７１】
（その他の実施の形態）
図８を用いて、上述した実施の形態１〜３におけるＭＴＣ−ＩＷＦ１１３及びＳＣＳ１２１を３ＧＰＰ技術仕様書に規定されているネットワークに適用した場合のネットワークシステムについて説明する。
【００７２】
図８のネットワークシステムは、ＵＥ（User Equipment）２０１と、ＲＡＮ（Radio Access Network）２０６と、ＭＳＣ（Mobile Switching Center）２０２と、ＭＭＥ２０３と、ＳＧＳＮ（Serving GPRS Support Node）２０４と、Ｓ−ＧＷ２０５と、ＧＧＳＮ（Gateway GPRS Support Node）／Ｐ−ＧＷ２１１と、ＭＴＣ−ＩＷＦ２１２と、ＳＣＳ２１３と、ＡＳ（Application Server）２１４及び２１５と、ＨＳＳ２１６と、ＳＭＳ−ＳＣ（Short Message Service-Service Center）／ＧＳＭ（登録商標）ＳＣ／ＩＷＭＳＣ２１７と、ＣＤＦ（Charging Data Function）／ＣＧＦ（Charging Gateway Function）２１８と、ＳＭＥ（Short Message Entity）２１９と、ＩＰ−ＳＭ−ＧＷ２２０とから構成される。
【００７３】
ＭＴＣ−ＩＷＦ２１２及びＳＣＳ２１３は、ＭＳＣ２０２、ＭＭＥ２０３及びＳＧＳＮ２０４と、ＡＳ２１４との間の通信を中継するように配置されている。ここで、ＡＳ２１４は、移動通信網とは異なる外部通信網に配置されている。ＭＴＣ−ＩＷＦ２１２は、移動通信網に配置されている。ＳＣＳ２１３に関しては、移動通信網と外部通信網とのどちらに配置されてもよい。つまり、ＳＣＳ２１３の配置位置は、通信事業者や、ＡＳ事業者等のネットワーク設計ポリシに依存する。
【００７４】
上述の実施の形態では、本発明をハードウェアの構成として説明したが、本発明は、これに限定されるものではない。本発明は、ＭＴＣ−ＩＷＦ１１３における制御部の処理を、ＣＰＵ（Central Processing Unit）にコンピュータプログラムを実行させることにより実現することも可能である。
【００７５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
なお、本発明は上記実施の形態に限られたものではなく、趣旨を逸脱しない範囲で適宜変更することが可能である。
【００７７】
以上、実施の形態を参照して本願発明を説明したが、本願発明は上記によって限定されるものではない。本願発明の構成や詳細には、発明のスコープ内で当業者が理解し得る様々な変更をすることができる。
【００７８】
この出願は、２０１２年４月２６日に出願された日本出願特願２０１２−１０１８２７を基礎とする優先権を主張し、その開示の全てをここに取り込む。
【符号の説明】
【００７９】
１  ゲートウェイ装置
１０  情報収集部
１１  ＳＣＳインタフェース
１２  ノード装置インタフェース
１３  認証部
２０  情報生成部
３０  通信部
４１〜４３  ノード装置
５０  サービス提供サーバ
１０１  ＵＥ
１１１  ｅＮＢ
１１２  ＭＭＥ
１１３  ＭＴＣ−ＩＷＦ
１２１  ＳＣＳ
１３１  Ｍ２ＭサービスＰＦ
２０１  ＵＥ
２０２  ＭＳＣ
２０３  ＭＭＥ
２０４  ＳＧＳＮ
２０５  Ｓ−ＧＷ
２０６  ＲＡＮ
２１１  ＧＧＳＮ／Ｐ−ＧＷ
２１２  ＭＴＣ−ＩＷＦ
２１３  ＳＣＳ
２１４  ＡＳ
２１５  ＡＳ
２１６  ＨＳＳ
２１７  ＳＭＳ−ＳＣ／ＧＳＭＳＣ／ＩＷＭＳＣ
２１８  ＣＤＦ／ＣＧＦ
２１９  ＳＭＥ
２２０  ＩＰ−ＳＭ−ＧＷ
【図１】
2013161278.tif 000003
【図２】
2013161278.tif 000004
【図３】
2013161278.tif 000005
【図４】
2013161278.tif 000006
【図５】
2013161278.tif 000007
【図６】
2013161278.tif 000008
【図７】
2013161278.tif 000009
【図８】
2013161278.tif 000010
【図９】
2013161278.tif 000011
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
外部通信網内に配置されたサービス提供サーバから、サービスを提供する際に必要となるサービス情報取得要求が送信されると、移動通信網内の各ノード装置が保有するノード保有情報の収集を行う情報収集手段と、
前記各ノード装置から収集した前記ノード保有情報に基づいて移動通信網情報を生成する情報生成手段と、
前記移動通信網情報を前記サービス提供サーバへ送信する通信手段と、を備えるサービス提供システム。
【請求項２】
前記サービス提供サーバから送信される前記サービス情報取得要求を受信し、前記サービス提供サーバに関する認証処理を行う認証手段をさらに備える、請求項１に記載のサービス提供システム。
【請求項３】
前記情報収集手段は、
移動局が在圏するエリアを管理する基地局情報を収集する、請求項１又は２に記載のサービス提供システム。
【請求項４】
前記情報収集手段は、
前記移動局の識別情報を用いて、前記移動局の加入者情報を管理する加入者情報管理装置から、前記移動局の移動制御を行う移動制御装置の識別情報を取得し、前記移動制御装置から、前記基地局情報を収集する、請求項３に記載のサービス提供システム。
【請求項５】
前記情報収集手段は、
前記移動制御装置を介して、基地局が保有するノード保有情報を収集する、請求項４に記載のサービス提供システム。
【請求項６】
前記情報収集手段は、
前記各ノード装置が保有するデータ通信量に関する情報を収集し、
前記情報生成手段は、前記各ノード装置のデータ通信量に基づいて、前記移動通信網内の混雑度に関する情報を生成する、請求項１乃至５のいずれか１項に記載のサービス提供システム。
【請求項７】
前記情報収集手段は、
前記サービス提供サーバにおいて指定されたエリアにおけるデータ通信を実行しているデータ中継装置における前記データ通信量に関する情報を収集する、請求項６に記載のサービス提供システム。
【請求項８】
前記通信手段は、
前記混雑度に関する情報を前記サービス提供サーバへ送信するとともに、前記混雑度に関する情報に基づいて決定される前記サービス提供サーバが前記移動通信網を介して移動局へ提供するサービスの実行可否、に関する情報を前記サービス提供サーバへ送信する請求項６又は７に記載のサービス提供システム。
【請求項９】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行う情報収集部、を備えるゲートウェイ装置。
【請求項１０】
前記サービス提供サーバから送信される前記サービス情報取得要求を受信し、前記サービス提供サーバに関する認証処理を行う認証部をさらに備える、請求項９に記載のゲートウェイ装置。
【請求項１１】
前記情報収集部は、
移動局が在圏するエリアを管理する基地局情報を収集する、請求項９又は１０に記載のゲートウェイ装置。
【請求項１２】
前記情報収集部は、
前記移動局の識別情報を用いて、前記移動局の加入者情報を管理する加入者情報管理装置から前記移動局の移動制御を行う移動制御装置の識別情報を取得し、前記移動制御装置から前記基地局情報を収集する、請求項１１に記載のゲートウェイ装置。
【請求項１３】
前記情報収集部は、
前記移動制御装置を介して、基地局が保有するノード保有情報を収集する、請求項１２に記載のゲートウェイ装置。
【請求項１４】
前記情報収集部は、
前記各ノード装置が保有するデータ通信量に関する情報を収集し、前記データ通信量に基づいて前記移動通信網内の混雑度に関する情報を生成する前記情報生成装置へ前記データ通信量に関する情報を送信する、請求項９乃至１３のいずれか１項に記載のゲートウェイ装置。
【請求項１５】
前記情報収集部は、
前記サービス提供サーバにおいて指定されたエリアにおけるデータ通信を実行しているデータ中継装置における前記データ通信量に関する情報を収集する、請求項１４に記載のゲートウェイ装置。
【請求項１６】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行う、情報収集方法。
【請求項１７】
移動通信網内の各ノード装置が保有するノード保有情報に基づいて移動通信網情報を生成し、外部通信網内に配置されたサービス提供サーバへ前記移動通信網情報を送信する情報生成装置へ前記ノード保有情報を送信するために、前記サービス提供サーバから、サービスを提供する際に必要となるサービス情報取得要求が送信されると、移動通信網内の各ノード装置が保有するノード保有情報の収集を行うステップをコンピュータに実行させるプログラム。
【手続補正３】
【補正対象書類名】明細書
【補正対象項目名】００７１
【補正方法】変更
【補正の内容】
【００７１】
（その他の実施の形態）
図９を用いて、上述した実施の形態１〜３におけるＭＴＣ−ＩＷＦ１１３及びＳＣＳ１２１を３ＧＰＰ技術仕様書に規定されているネットワークに適用した場合のネットワークシステムについて説明する。
【手続補正４】
【補正対象書類名】明細書
【補正対象項目名】００７２
【補正方法】変更
【補正の内容】
【００７２】
図９のネットワークシステムは、ＵＥ（User Equipment）２０１と、ＲＡＮ（Radio Access Network）２０６と、ＭＳＣ（Mobile Switching Center）２０２と、ＭＭＥ２０３と、ＳＧＳＮ（Serving GPRS Support Node）２０４と、Ｓ−ＧＷ２０５と、ＧＧＳＮ（Gateway GPRS Support Node）／Ｐ−ＧＷ２１１と、ＭＴＣ−ＩＷＦ２１２と、ＳＣＳ２１３と、ＡＳ（Application Server）２１４及び２１５と、ＨＳＳ２１６と、ＳＭＳ−ＳＣ（Short Message Service-Service Center）／ＧＳＭ（登録商標）ＳＣ／ＩＷＭＳＣ２１７と、ＣＤＦ（Charging Data Function）／ＣＧＦ（Charging Gateway Function）２１８と、ＳＭＥ（Short Message Entity）２１９と、ＩＰ−ＳＭ−ＧＷ２２０とから構成される。
【国際調査報告】
2013161278.tif 000012
2013161278.tif 000013